(57)【要約】【課題】ベルトスリングの扱い易さを損ねることなく、ベルトスリングにかかる引っ張り荷重が耐荷重を超えた場合にはその旨を作業者に知らせることができ、これによって引っ張り荷重超過時のベルトスリングの破断による被吊上物の落下などの危険を回避することができる荷重超過警報装置付きベルトスリングを提供する。【解決手段】荷重超過警報装置付きベルトスリング１は、引っ張り荷重がかかる方向に沿ってスリット５が形成されたベルトスリング２と、スリット５に差し込まれ、ベルトスリング２に作用する引っ張り荷重に伴ってスリット５が閉じられたときの閉じ方向の圧力が予め定められた大きさを超えたときに警報を発する荷重超過警報装置６とを備えている。【選択図】図１
2007302445.tif 000002
【特許請求の範囲】
【請求項１】
引っ張り荷重がかかる方向に沿ってスリットが形成されたベルトスリングと、前記スリットに差し込まれ、前記ベルトスリングに作用する前記引っ張り荷重に伴って前記スリットが閉じられたときの閉じ方向の圧力が予め定められた大きさを超えたときに警報を発する荷重超過警報装置とを備えたことを特徴とする荷重超過警報装置付きベルトスリング。
【請求項２】
前記荷重超過警報装置は、前記スリットを開く方向に向けて弾性的に付勢する付勢部材と、この付勢部材が予め定められた位置まで弾性変形したことを契機に警報音及び光の少なくともいずれか一方を発する警報手段とを備えることを特徴とする請求項１記載の荷重超過警報装置付きベルトスリング。
【請求項３】
前記荷重超過警報装置は、前記スリットから露呈する開口と、この開口を塞ぐ蓋体とを有する中空体であり、前記圧力が前記中空体に対して前記予め定められた大きさ以下で作用しているときには前記蓋体で前記開口を塞いで前記中空体を密封状態にし、前記圧力が前記中空体に対して前記予め定められた大きさを超えて作用したときには前記中空体が圧縮され、前記中空体内で圧縮された空気によって前記蓋体が前記開口から外れることを特徴とする請求項１記載の荷重超過警報装置付きベルトスリング。
【請求項４】
前記中空体において前記開口を互いに背向く位置に１つずつ形成するとともに、前記開口のそれぞれを塞ぐ前記蓋体間を連結部材で連結し、前記蓋体が前記開口から外れたときに前記蓋体が前記連結部材によって前記開口から吊り下げられた状態になることを特徴とする請求項３記載の荷重超過警報装置付きベルトスリング。
【請求項５】
前記荷重超過警報装置は、前記圧力が作用することにより前記閉じ方向に弾性変形する弾性変形体と、この弾性変形体の内部に設けられており、前記弾性変形体の弾性変形に伴って前記閉じ方向に移動する楔状部と、前記圧力が前記弾性変形体に対して前記閉じ方向に前記予め定められた大きさを超えて作用することによって前記楔状部の前記閉じ方向の移動に伴って前記内部から外部に向けて突出する突出部材とを備えることを特徴とする請求項１記載の荷重超過警報装置付きベルトスリング。
【請求項６】
前記荷重超過警報装置は、液体が封入された容器と、前記液体が浸透して発色する発色体とを備え、前記圧力が前記予め定められた大きさを超えたときに前記容器の少なくとも一部が破損して、その破損した箇所から漏れ出た前記液体が前記発色体に浸透することを特徴とする請求項１記載の荷重超過警報装置付きベルトスリング。
【発明の詳細な説明】
【技術分野】
【０００１】
本発明は、荷重超過警報装置付きベルトスリングに関する。さらに詳述すると、本発明は、資材や荷物などを安全に吊り上げる荷重超過警報装置付きベルトスリングに関する。
【背景技術】
【０００２】
クレーンなどを利用して建築資材や重い荷物などを吊り上げるときにはクレーンのフックと荷物とを接続するベルトスリングが使用される。ベルトスリングの両端には一般的にフックが取り付けられているかあるいは輪が形成されている。ベルトスリングは例えば一端のフックあるいは輪をクレーンのフックに引っ掛けるとともに、他端のフックあるいは輪を吊り上げる対象物（以下、被吊上物と称する）に取り付けられたフックあるいはアイボルトなどの取り付け用金具に接続して使用される。
【０００３】
ところで、ベルトスリングには被吊上物を安全に吊り上げることができる重さの上限である耐荷重が定められている。その耐荷重は例えば特許文献１に示すようにベルト表面に記されている。ベルトスリングを使用したクレーンなどによる吊り上げ作業を安全に行うには、通常、作業者は被吊上物の重さを調べた後、その重さに見合ったベルトスリング即ち耐荷重が被吊上物の重さよりも大きいベルトスリングを選択して使用する。
【特許文献１】特開平７−９７１７１号
【発明の開示】
【発明が解決しようとする課題】
【０００４】
しかしながら、被吊上物の重さを吊り上げ作業を行なう度に逐一調べることは作業者にとって煩わしい作業となる。その上、ベルト表面に記されている耐荷重を示す表示は一般的に小さく、場合によっては汚れや磨耗などによって読み取り難くなっているということもあり、一見しただけでは耐荷重を読み取ることは困難である。このような事情から作業者は耐荷重を確認することなく、扱いが楽なベルトスリング例えば軽くて細いベルトスリングのように軽くて柔軟性に富んだものを自ずと選んでしまうようになる。したがって、ベルトスリングを使用した吊り上げ作業においては、常に安全な吊り上げ作業が行なわれているとは言い難い現状がある。
【０００５】
そこで、本発明は、ベルトスリングの耐荷重や被吊上物の重量を確認せずに吊り上げ作業を行ったとしてもベルトスリングにかかる引っ張り荷重が耐荷重を超えた場合にはその旨を作業者に確実に知らせることができ、これによって引っ張り荷重超過時のベルトスリングの破断による被吊上物の落下などの危険を回避することができる荷重超過警報装置付きベルトスリングを提供することを目的とする。
【課題を解決するための手段】
【０００６】
かかる目的を達成するために、請求項１記載の発明にかかる荷重超過警報装置付きベルトスリングは、引っ張り荷重がかかる方向に沿ってスリットが形成されたベルトスリングと、スリットに差し込まれ、ベルトスリングに作用する引っ張り荷重に伴ってスリットが閉じられたときの閉じ方向の圧力が予め定められた大きさを超えたときに警報を発する荷重超過警報装置とを備えるようにしている。
【０００７】
したがって、引っ張り荷重がスリットにおいてスリットが閉じる方向への圧力に変換されて荷重超過警報装置に作用し、その圧力が予め定められた大きさを超えると引っ張り過重が過剰であることを知らせる警報が発せられる。ここでベルトスリングの耐荷重以上の引っ張り荷重がベルトスリングに掛けられたときのスリットの閉じ方向にかかる圧力を事前に計算しておき、それを「予め定められた大きさ」とすることで作業者は警報により引っ張り荷重が耐荷重を超えたことを認識することができる。
【０００８】
また、請求項２記載の発明は、請求項１記載の荷重超過警報装置付きベルトスリングにおいて、荷重超過警報装置は、スリットを開く方向に向けて弾性的に付勢する付勢部材と、この付勢部材が予め定められた位置まで弾性変形したことを契機に警報音及び光の少なくともいずれか一方を発する警報手段とを備えるようにしている。この場合、ベルトスリングを利用して被吊上物を吊り上げて行くと、スリットは付勢部材の付勢力に抗して徐々に閉じられて行く。そして、閉じ方向の圧力が予め定められた大きさを超えると付勢部材が予め定められた位置まで弾性変形する。付勢部材が予め定められた位置まで弾性変形すると警報手段が警報音及び光の少なくともいずれか一方を発する。これにより作業者は聴覚及び視覚を通じて引っ張り荷重が耐荷重を超えたことを認識することができる。
【０００９】
また、請求項３記載の発明は、請求項１記載の荷重超過警報装置付きベルトスリングにおいて、荷重超過警報装置は、スリットから露呈する開口と、この開口を塞ぐ蓋体とを有する中空体であり、圧力が中空体に対して予め定められた大きさ以下で作用しているときには蓋体で開口を塞いで中空体を密封状態にし、圧力が中空体に対して予め定められた大きさを超えて作用したときには中空体が圧縮され、中空体内で圧縮された空気によって蓋体が開口から外れるようにしている。この場合、ベルトスリングを利用して被吊上物を吊り上げて行き、スリットの閉じ方向の圧力が予め定められた大きさを超えると中空体が圧縮される。即ち中空体内の空気が圧縮される。この圧縮空気が中空体の内側から開口を塞いでいる蓋体を圧迫することによって蓋体は発砲音を発しながら開口から外れる。作業者は発砲音を聞くとともに蓋体が開口から外れたことを視認することによって引っ張り荷重が耐荷重を超えたことを認識することができる。
【００１０】
また、請求項４記載の発明は、請求項３記載の荷重超過警報装置付きベルトスリングにおいて、中空体において開口を互いに背向く位置に１つずつ形成するとともに、開口のそれぞれを塞ぐ蓋体間を連結部材で連結し、蓋体が開口から外れたときに蓋体が連結部材によって開口から吊り下げられた状態になるようにしている。この場合、ベルトスリングを利用して被吊上物を吊り上げて行き、スリットの閉じ方向の圧力が予め定められた大きさを超えると中空体が圧縮され、各開口を塞いでいる蓋体が少なくとも１つ発砲音を発しながら外れる。これにより作業者は発砲音を聞くとともに開口から外れた蓋体を視認することで引っ張り荷重が耐荷重を超えたことを認識することができる。また、吊り上げ作業を行って蓋体が開口から外れた場合には、蓋体が連結部材によって開口から吊り下げられた状態になるので、作業者は開口から蓋体が外れたことを見落とすことがなくなる。さらに、中空体が圧縮されることによって各開口の蓋体が外れても蓋体間を連結している連結部材によって開口から外れた蓋体は中空体の本体部から一定の範囲内までしか離れないので、蓋体が散乱することを防止することができる。
【００１１】
また、請求項５記載の発明は、請求項１記載の荷重超過警報装置付きベルトスリングにおいて、荷重超過警報装置は、圧力が作用することにより閉じ方向に弾性変形する弾性変形体と、この弾性変形体の内部に設けられており、弾性変形体の弾性変形に伴って閉じ方向に移動する楔状部と、圧力が弾性変形体に対して閉じ方向に前記予め定められた大きさを超えて作用することによって楔状部の閉じ方向の移動に伴って内部から外部に向けて突出する突出部材とを備えるようにしている。この場合、ベルトスリングを利用して被吊上物を吊り上げて行くと、スリットは弾性変形体の弾性的な付勢力に抗して徐々に閉じられて行く。この閉じ方向の圧力によって弾性変形体が弾性変形して行くとこの弾性変形に同期して楔状部がスリットの閉じ方向に移動して行く。やがて閉じ方向の圧力が予め定められた大きさを超えると楔状部の閉じ方向の移動に伴って楔状部の傾斜面が突出部材を弾性変形体の外部に向けて押し出す。作業者は弾性変形体から突出した突出部材を視認することによって引っ張り荷重が耐荷重を超えたことを認識することができる。
【００１２】
また、請求項６記載の発明は、請求項１記載の荷重超過警報装置付きベルトスリングにおいて、荷重超過警報装置は、液体が封入された容器と、液体が浸透して発色する発色体とを備え、圧力が予め定められた大きさを超えたときに容器の少なくとも一部が破損して、その破損した箇所から漏れ出た液体が発色体に浸透するようにしている。この場合、ベルトスリングを利用して被吊上物を吊り上げて行くと、容器はスリットの閉じ方向の圧力によって圧縮され、圧力が予め定められた大きさを超えるとその一部が破損することになる。そして、その破損した箇所から漏れ出た液体が発色体に浸透すると発色体が色付く。作業者は発色体が色付いたことを視認することによって引っ張り荷重が耐荷重を超えたことを認識することができる。なお、発色体としてはリトマス紙が考えられる。発色体として酸性の液体に対して発色するリトマス紙を採用する場合には酸性の液体を容器に封入し、発色体としてアルカリ性の液体に対して発色するリトマス紙を採用する場合にはアルカリ性の液体を容器に封入すれば良い。
【発明の効果】
【００１３】
請求項１記載の荷重超過警報装置付きベルトスリングによれば、ベルトスリングを利用した吊り上げ作業を行うにあたってベルトスリングのスリットの閉じ方向に予め定められた大きさ以上の圧力が加わると荷重超過警報装置が警報を発するので、作業者はベルトスリングにかかる引っ張り荷重が耐荷重を超えた場合にはそのことを直ぐに知ることができ、吊り上げ作業の中止とベルトスリングの交換を作業者に促すことができる。これによりベルトスリングを利用した吊り上げ作業を行うにあたって引っ張り荷重超過時のベルトスリングの破断による被吊上物の落下などの危険を回避することができ、吊り上げ作業の安全性を向上させることができる。また、荷重超過警報装置をベルトスリングのスリットに差し込み、スリットの閉じ方向にかかる圧力に応じて荷重超過警報装置から警報を発するようにしたので、ベルトスリングの機能性を損ねることなく、ベルトスリングにかかる引っ張り荷重が耐荷重を超えた場合にはその旨を作業者に知らせることができる。
【００１４】
請求項２記載の荷重超過警報装置付きベルトスリングによれば、付勢部材の弾性変形の度合いに応じて警報を発するようにしたので、スリットの閉じ方向の圧力が予め定められた大きさを超えたか否かを簡素な構造で検出することができる。また、スリットの閉じ方向の圧力が予め定められた大きさを超えた場合には警報音あるいは光が発せられるので、作業者はスリットの閉じ方向の圧力が予め定められた大きさを超えたこと即ちベルトスリングにかかる引っ張り荷重が耐荷重を超えたことを容易に感知することができる。
【００１５】
請求項３記載の荷重超過警報装置付きベルトスリングによれば、吊り上げ作業を行った際にスリットが閉じられて中空体が潰されたときに中空体の開口を塞いでいる蓋体が発砲音を発しながら開口から外れるようにしたので、スリットの閉じ方向の圧力が予め定められた大きさを超えたか否かを簡素な構造で検出することができる。また、開口から蓋体が外れる態様と蓋体が開口から外れたときに生じる発砲音とから作業者はスリットの閉じ方向の圧力が予め定められた大きさを超えたこと即ち引っ張り荷重が耐荷重を超えたことを容易に感知することができる。
【００１６】
請求項４記載の荷重超過警報装置付きベルトスリングによれば、被吊上物が空中に吊り上げられた状態で蓋体が開口から外れた場合には、その蓋体が開口から吊り下げられた状態になるので、作業者は開口から蓋体が外れたことを見落とすことがなくなる。また、各開口の蓋体が外れても蓋体間を連結している連結部材によって開口から外れた蓋体は中空体の本体部から一定の範囲内までしか離れないので、蓋体が散乱することを防止することができる。
【００１７】
請求項５記載の荷重超過警報装置付きベルトスリングによれば、吊り上げ作業を行った際にスリットが閉じられて弾性変形体が弾性変形したときに弾性変形体から突出部材が突出するので、スリットの閉じ方向の圧力が予め定められた大きさを超えたか否かを簡素な構造で検出することができる。また、作業者は突出部材が弾性変形体から突出する態様を視認することによってスリットの閉じ方向の圧力が予め定められた大きさを超えたこと即ち引っ張り荷重が耐荷重を超えたことを容易に感知することができる。
【００１８】
請求項６記載の荷重超過警報装置付きベルトスリングによれば、吊り上げ作業を行った際にスリットが閉じられて容器が潰されたときに破損した箇所から漏れ出た液体が発色体に浸透すると発色体が色付くようにしたので、スリットの閉じ方向の圧力が予め定められた大きさを超えたか否かを簡素な構造で検出することができる。また、作業者は発色体が発色したことを視認することによってスリットの閉じ方向の圧力が予め定められた大きさを超えたこと即ち引っ張り荷重が耐荷重を超えたことを容易に感知することができる。
【発明を実施するための最良の形態】
【００１９】
以下、本発明の構成を図面に示す実施形態に基づいて詳細に説明する。
【００２０】
図１〜図５に本発明の荷重超過警報装置付きベルトスリングの第１の実施形態を示す。本実施形態の荷重超過警報装置付きベルトスリング１は、引っ張り荷重がかかる方向に沿ってスリット５が形成されたベルトスリング２と、スリット５に差し込まれ、ベルトスリング２に作用する引っ張り荷重に伴ってスリット５が閉じられたときの閉じ方向の圧力が予め定められた大きさを超えたときに警報を発する荷重超過警報装置６とを備えている。
【００２１】
図１に示すようにベルトスリング２は無端ベルトを折り合わせて２層構造にした状態で縫い合わせることによって形成される。ベルトスリング２の両端部にはクレーンのフック３などに引っ掛けるための輪４が形成されている。本実施形態ではベルトスリング２の両端部に輪４を形成した例を挙げて説明するが、輪４でなくともフックであっても良く、ベルトスリング２の両端部の形態はクレーンのフック３などに引っ掛けられるように形成されていれば適宜に変更可能である。
【００２２】
ベルトスリング２の一方の輪４の付け根近傍にはベルトスリング２を使用したときの引っ張り荷重がかかる方向に沿って且つベルトスリング２の幅方向に沿ってスリット５が形成されている。ベルトスリング２を形成するにあたって、輪４は無端ベルトを折り合わせて２層構造にした状態で縫い合わせるときに無端ベルトを折り合わせたときの両端部を縫い合わさないことによって形成され、スリット５は一方の輪４の付け根近傍を縫い合わさないことによって形成される。したがって、スリット５はベルトスリング２を幅方向に貫通している。このスリット５には荷重超過警報装置６が差し込まれて固定される。なお、本実施形態では２つの輪４のうちの一方をクレーンのフック３に引っ掛け、他方を被吊上物に取り付けた取り付け金具（例えばフック）に引っ掛けて被吊上物を吊り上げる形態（所謂ストレート吊り）と、２つの輪４をクレーンのフック３に引っ掛けてベルトスリング２の両端間で被吊上物を支持する形態（所謂２点吊り）とを想定してベルトスリング２の一方の輪４の付け根近傍にスリット５を形成するようにしているが、スリット５の形成箇所はこれに限ることなく適宜に変更可能である。例えばベルトスリング２がストレート吊りにだけ使用されるものであればスリット５をベルトスリング２の中央部に形成しても良い。
【００２３】
図２に示すように、荷重超過警報装置６は、荷重超過警報装置本体７と１対の付勢部材８、９とから構成されている。荷重超過警報装置本体７の筐体１０の外形は板状に形成されている。この筐体１０の一端面には表示窓１０ａ、１０ｂが形成されている。この表示窓１０ａ、１０ｂは荷重超過警報装置６がスリット５に差し込まれた際にスリット５から露呈される。また、筐体１０において、荷重超過警報装置６がスリット５に差し込まれた際にベルトスリング２の裏面２ａに対向する面、即ち筐体１０の表面と裏面のそれぞれには第１、第２プッシュ式スイッチ１１、１２が露呈されており、スイッチ１１、１２の上には複数の孔１３（図３参照）が形成されている。
【００２４】
付勢部材８、９はスリット５を開く方向に向けて弾性的に付勢するものであって、金属製の薄板を略Ｃ形状に折り曲げて形成された板ばねからなる。この付勢部材８、９は第１、第２プッシュ式スイッチ１１、１２及び孔１３を跨ぐようにして筐体１０の表面と裏面のそれぞれに固定されている。また、ベルトスリング２の裏面２ａとこの裏面２ａに対向する付勢部材８、９の面とは接着剤などの固定手段で固定されている。つまり、ベルトスリング２と荷重超過警報装置６とは一体化された状態になっている。
【００２５】
付勢部材８、９はベルトスリング２の裏面２ａと筐体１０との間に配置され、ベルトスリング２に作用する引っ張り荷重に伴ってスリット５が閉じられたときにはその閉じ方向（図２中の破線矢印Ａ方向）に沿って徐々に弾性変形して行き、その閉じ方向の圧力の大きさが予め定められた大きさに達したときには予め定められた位置にまで弾性変形し、そこで第１、第２プッシュ式スイッチ１１、１２をオンするように構成されている。つまり、ここで述べる「予め定められた大きさ」とはベルトスリング２にその耐荷重を超えて作用する引っ張り荷重に伴ってスリット５が閉じられたときのその閉じ方向の圧力の大きさのことを示し、「予め定められた位置」とは、付勢部材８、９が第１、第２プッシュ式スイッチ１１、１２をオン操作する位置のことを示す。
【００２６】
図４に示すように、荷重超過警報装置本体７は、第１、第２プッシュ式スイッチ１１、１２、電源スイッチ１４、電源装置１５、制御装置１６、動作状態確認手段１７及び警報手段１８から構成されている。電源装置１５は第１、第２プッシュ式スイッチ１１、１２、制御装置１６、動作状態確認手段１７及び警報手段１８に電力を供給するものであり、電池１５ａを備えている。この電池１５ａは例えばボタン電池あるいは単三型のアルカリ電池などである。
【００２７】
制御装置１６は荷重超過警報装置本体７をシーケンス制御するものであり、例えばＣＰＵあるいはＭＰＵなどで構成されている。制御装置１６は、第１、第２プッシュ式スイッチ１１、１２、電源装置１５、動作状態確認手段１７及び警報手段１８のそれぞれに電気的に接続されている。第１、第２プッシュ式スイッチ１１、１２は、ベルトスリング２の耐荷重を超える引っ張り荷重がベルトスリング２に作用したときに、この引っ張り荷重に伴ってスリット５が閉じられたときの閉じ方向の圧力を検出する検出部として機能するものである。つまり、ベルトスリング２の耐荷重を超える引っ張り荷重がベルトスリング２に作用し、この引っ張り荷重に伴ってスリット５が閉じられたときの閉じ方向の圧力によって付勢部材８、９が予め定められた位置まで弾性変形したことを検出するものである。第１、第２プッシュ式スイッチ１１、１２が付勢部材８、９によってオンされると第１、第２プッシュ式スイッチ１１、１２から制御装置１６に電気信号が出力される。制御装置１６は第１、第２プッシュ式スイッチ１１、１２の双方から電気信号が入力されたことを契機に第１、第２プッシュ式スイッチ１１、１２がオンされたことを示す電気信号を警報手段１８に出力する。なお、本実施形態では第１、第２プッシュ式スイッチ１１、１２を用いて予め定められた圧力を検出するようにしているが、第１、第２プッシュ式スイッチ１１、１２の代わりにフォトセンサや磁気センサなどを利用しても良く、付勢部材８、９が予め定められた位置にまで弾性変形したときにそれを検出して、その検出信号を警報手段１８に出力することができるようなものであればどのようなものであっても良い。
【００２８】
警報手段１８はドライバ１９、２０と青色ＬＥＤ２１とスピーカー２２とから構成されている。ドライバ１９、２０に制御装置１６から第１、第２プッシュ式スイッチ１１、１２がオンされたことを示す電気信号が入力されると、ドライバ１９は青色ＬＥＤ２１を発光させ、ドライバ２０はスピーカー２２から警報音を発生させる。青色ＬＥＤ２１の発光は筐体９の表示窓１０ａを通して視認される。スピーカー２２の警報音は筐体９の孔１３を通して筐体９の外部に発散される。
【００２９】
制御装置１６は電池１５ａの電圧の出力レベルを常時監視している。そして、その出力レベルが予め定められた閾値を下回ったことを契機に電池１５ａの電圧の出力レベルが予め定められた閾値を下回ったことを示す電気信号を動作状態確認手段１７に出力する。
【００３０】
動作状態確認手段１７はドライバ２３と白色ＬＥＤ２４と赤色ＬＥＤ２５とから構成されている。電源スイッチ１４がオンされているときには制御装置１６はドライバ２３を介して白色ＬＥＤ２４を常時発光させている。ドライバ２３に制御装置１６から電池１５ａの電圧の出力レベルが予め定められた閾値を下回ったことを示す電気信号が入力されると、ドライバ２３は白色ＬＥＤ２４を消灯させるとともに赤色ＬＥＤ２５を発光させる。白色ＬＥＤ２４及び赤色ＬＥＤ２５の発光は筐体９の表示窓１０ｂを通して視認される。したがって、作業者は表示窓１０ｂからの発光色に基づいて電池１５ａの交換が必要か否かを判断することができる。つまり、表示窓１０ｂから白色光が視認されるときは電池１５ａの交換が不必要であり、表示窓１０ｂから赤色光が視認されるときは電池１５ａの交換が必要であると判断することができる。
【００３１】
以上のように構成された荷重超過警報装置付きベルトスリング１を利用して被吊上物を吊り上げて行くと、スリット５は付勢部材８、９の弾性的な付勢力に抗して徐々に閉じられて行く。そして、スリット５の閉じ方向の圧力が予め定められた大きさを超えるとやがて付勢部材８、９が予め定められた位置まで弾性変形する。付勢部材８、９が予め定められた位置まで弾性変形すると、付勢部材８、９が第１、第２プッシュ式スイッチ１１、１２をオンする。図５のフローチャートに示すように、第１、第２プッシュ式スイッチ１１、１２の少なくともいずれか一方がオフのとき、制御装置１６は待機状態であり（Ｓ１；Ｎ）、第１、第２プッシュ式スイッチ１１、１２の双方がオンされると（Ｓ１；Ｙ）、青色ＬＥＤ２１を発光させるとともにスピーカー２２から警報音を発生させる（Ｓ２）。したがって、作業者はベルトスリング２にかかる引っ張り荷重が耐荷重を超えた場合にはそのことを青色ＬＥＤ２１の発光とスピーカー２２の警報音によって直ぐに知ることができる。これにより吊り上げ作業を中止することを作業者に促すことができ、吊り上げ作業を行うにあたって引っ張り荷重超過時のベルトスリングの破断による被吊上物の落下などの危険を回避することができる。また、荷重超過警報装置６をベルトスリング２のスリット５に差し込み、スリット５の閉じ方向にかかる圧力に応じて警報を発するようにしたので、ベルトスリング２本来の扱い易さを損ねることなく、ベルトスリング２にかかる引っ張り荷重が耐荷重を超えた場合にはその旨を作業者に知らせることができる。
【００３２】
次に図６〜図８に本発明の荷重超過警報装置付きベルトスリングの第２の実施形態を示す。なお、本実施形態において第１の実施形態と同一の部材については同一の符号を付し、その説明を省略する。
【００３３】
本実施形態の荷重超過警報装置付きベルトスリング３０は、引っ張り荷重がかかる方向に沿ってスリット５が形成されたベルトスリング２と、スリット５に差し込まれ、ベルトスリング２に作用する引っ張り荷重に伴ってスリット５が閉じられたときの閉じ方向の圧力が予め定められた大きさを超えたときに警報を発する荷重超過警報装置３１とを備えたものである。この荷重超過警報装置３１は、スリット５から露呈する開口３３ａ、３３ｂと、この開口３３ａ、３３ｂを塞ぐ蓋体３４、３５とを有する中空体３２であり、ベルトスリング２に作用する引っ張り荷重に伴ってスリット５が閉じられたときの閉じ方向の圧力が中空体３２に対して予め定められた大きさ以下で作用しているときには蓋体３４、３５で開口３３ａ、３３ｂを塞いで中空体３２を密封状態にし、ベルトスリング２に作用する引っ張り荷重に伴ってスリット５が閉じられたときの閉じ方向の圧力が中空体３２に対して予め定められた大きさを超えて作用したときには中空体３２が圧縮され、中空体３２内で圧縮された空気によって蓋体３４、３５が開口３３ａ、３３ｂから外れるようにしている。
【００３４】
図６及び図７に示すように中空体３２は、両端に開口３３ａ、３３ｂを有する円筒３３と蓋体３４、３５とから構成されている。円筒３３は中空体３２の本体部を成すものであり、その外周面３３ｃがベルトスリング２の裏面２ａに対向し且つ開口３３ａ、３３ｂがスリット５から露呈するようにスリット５に差し込まれて使用される（図８参照）。円筒３３は、ベルトスリング２に作用している引っ張り荷重に伴ってスリット５が閉じられたときの閉じ方向の圧力が予め定められた大きさを超えたか否かを検出する検出部として機能するものであって、ベルトスリング２の耐荷重を超える引っ張り荷重がベルトスリング２に作用し、この引っ張り荷重に伴ってスリット５が閉じられたときの閉じ方向の圧力が作用したときに圧潰されるように構成されている。
【００３５】
開口３３ａ、３３ｂは蓋体３４、３５によって塞がれている。蓋体３４、３５は、開口３３ａ、３３ｂの内径よりも大きい外径を有する円盤状のフランジ３４ａ、３５ａと、このフランジ３４ａ、３５ａの裏面に突設され、開口３３ａ、３３ｂに圧入可能な大きさに形成されている円柱状のコルク栓３４ｂ、３５ｂとから構成されている。
【００３６】
蓋体３４、３５間は円筒３３内を通じて連結部材３６によって連結されている。この連結部材３６は例えば紐からなる。コルク栓３４ｂにはその紐の一端が例えば接着剤によって固定されており、他端は円筒３３の開口３３ａから円筒３３内を介して開口３３ｂから取り出され、コルク栓３５ｂに例えば接着剤によって固定されている。紐の長さは円筒３３の高さに対して十分に長いものである。したがって、蓋体３４、３５が開口３３ａ、３３ｂから外れたときには連結部材３６によって開口３３ａ、３３ｂから吊り下げられた状態になる。なお、本実施形態では連結部材３６として紐を例に挙げて説明しているが、紐に代えて例えばフィルム状部材や圧縮コイルばねなどで蓋体３４と蓋体３５とを連結するようにしても良く、蓋体３４、３５が開口３３ａ、３３ｂから外れたときに開口３３ａ、３３ｂから吊り下げられた状態になるようなもので連結されていれば良い。
【００３７】
コルク栓３４ｂ、３５ｂは連結部材３６が中空体３２内に収容されるように開口３３ａ、３３ｂに圧入される。これによって中空体３２内は密封状態となる。図７及び図８に示すように、中空体３２は円筒３３の外周面３３ｃがベルトスリング２の裏面２ａに対向し且つ蓋体３４、３５がスリット５から露呈するようにスリット５に差し込まれ、スリット５内において円筒３３の外周面３３ｃとベルトスリング２の裏面２ａの一部とは接着剤などの固定手段で固定される。つまり、中空体３２とベルトスリング２とは一体化された状態になっている。
【００３８】
コルク栓３４ｂ、３５ｂは、ベルトスリング２に作用している荷重に伴ってスリット５が閉じられたときの閉じ方向の圧力が円筒３３の外周面３３ｃに対して予め定められた大きさ以下で作用しているとき、即ちベルトスリング２の耐荷重以下の引っ張り荷重がベルトスリング２に作用し、この引っ張り荷重に伴ってスリット５が閉じられたときの閉じ方向（図７中の破線矢印Ａ方向）の圧力が円筒３３の外周面３３ｃに対して作用しているときには中空体３２内を密封状態に保持する一方で、ベルトスリング２に作用している引っ張り荷重に伴ってスリット５が閉じられたときの閉じ方向の圧力が円筒３３の外周面３３ｃに対して予め定められた大きさを超えて作用したとき、即ちベルトスリング２の耐荷重を超える引っ張り荷重がベルトスリング２に作用し、この引っ張り荷重に伴ってスリット５が閉じられたときの閉じ方向の圧力が円筒３３の外周面３３ｃに対して作用したときには円筒３３が圧潰され、中空体３２内で圧縮された空気によって開口３３ａ、３３ｂから発砲されるように開口３３ａ、３３ｂに圧入されている。
【００３９】
以上のように構成された荷重超過警報装置付きベルトスリング３０を利用して吊り上げ作業を行うと、スリット５の閉じ方向の圧力が予め定められた大きさを超えると円筒３３が圧縮される。即ち中空体３２内の空気が圧縮される。そして、この圧縮空気によってコルク栓３４ｂ、３５ｂが開口３３ａ、３３ｂから発砲される。このとき発砲音が発せられる。したがって、作業者は発砲音を聞くとともに蓋体３４、３５が開口３３ａ、３３ｂから外れたことを視認することによってスリット５の閉じ方向の圧力が予め定められた大きさを超えたこと即ちベルトスリング２に耐荷重を超える引っ張り荷重が加わっていることを容易に感知することができる。また、蓋体３４、３５が開口３３ａ、３３ｂから外れると、蓋体３４、３５が連結部材３６によって開口３３ａ、３３ｂから吊り下げられた状態になるので、作業者は開口３３ａ、３３ｂから蓋体３４、３５が外れたことを見落とすことがなくなる。さらに、円筒３３が圧潰されることによって蓋体３４、３５が開口３３ａ、３３ｂから外れても蓋体３４、３５間を連結している連結部材３６によって開口３３ａ、３３ｂから外れた蓋体は円筒３３から一定の範囲内までしか離れないので、蓋体３４、３５が散乱することを防止することができる。
【００４０】
次に図９〜図１１に本発明の荷重超過警報装置付きベルトスリングの第３の実施形態を示す。なお、本実施形態において第１及び第２の実施形態と同一の部材については同一の符号を付し、その説明を省略する。
【００４１】
本実施形態の荷重超過警報装置付きベルトスリング４０は、引っ張り荷重がかかる方向に沿ってスリット５が形成されたベルトスリング２と、スリット５に差し込まれ、ベルトスリング２に作用する引っ張り荷重に伴ってスリット５が閉じられたときの閉じ方向の圧力が予め定められた大きさを超えたときに警報を発する荷重超過警報装置４１とを備えたものである。この荷重超過警報装置４１は、ベルトスリング２に作用する引っ張り荷重に伴ってスリット５が閉じられたときの閉じ方向の圧力が作用することにより閉じ方向に弾性変形する弾性変形体４２と、この弾性変形体４２の内部に設けられており、弾性変形体４２の弾性変形に伴って閉じ方向に移動する楔状部５９、６０と、圧力が弾性変形体４２に対して閉じ方向に予め定められた大きさを超えて作用することによって楔状部５９、６０の閉じ方向の移動に伴って内部から外部に向けて突出する突出部材４６、４７とを備えている。
【００４２】
弾性変形体４２はスリット５に差し込まれ且つベルトスリング２に固定されて使用されるものであり、図９に示すように四角い板状のベース４３と、このベース４３の両端面において、ベルトスリング２に作用する引っ張り荷重に伴ってスリット５が閉じられたときの閉じ方向（図９中の破線矢印Ａ方向）に相対的にスライドするように取り付けられているスライド部材４４、４５と、スライド部材４４、４５が予め定められた位置までスライドするとベース４３から突出する突出部材４６、４７と、スリット５を開く方向に向かってスライド部材４４、４５を弾性的に付勢する付勢部材４８〜５１とを備えている。
【００４３】
ベース４３の両端面には長手方向に沿って長溝５２、５３が形成されている。この長溝５２、５３にはスライド部材４４、４５の一部がスライド自在に挿入される。図９及び図１０に示すようにベース４３の表面には長溝５２と長溝５３との間で互いに背くように横断面Ｔ字状の長溝５４、５５が中央部から長溝５２、５３が形成されている端面以外の端面にかけて直線状に形成されている。長溝５４、５５には横断面略Ｈ状で長溝５４、５５の長さよりも僅かに短い突出部材４６、４７がスライド自在に挿入される。即ち、突出部材４６、４７の下部である横断面Ｔ字状の部分がスライド自在に挿入される。したがって、長溝５４、５５に挿入されていない突出部材４６、４７の残りの部分即ち突出部材４６、４７の上部である横断面Ｉ字状の部分がベース４３の表面に突出した状態になる。ベース４３の表面に突出している突出部材４６、４７の上部の基端は角がとれた形状になっている。
【００４４】
図１１に示すように、長溝５４、５５の内部において、ベース４３と突出部材４６との間、ベース４３と突出部材４７との間のそれぞれには引っ張りコイルばね５６が配置されている。この引っ張りコイルばね５６の基端は長溝５４、５５の奥壁に、先端は突出部材４６、４７の下部の基端に固定されている。これにより突出部材４６、４７は引っ張りコイルばね５６の弾性的な付勢力によって長溝５４、５５内に引っ張り込まれた状態になる。
【００４５】
スライド部材４４、４５は、ベルトスリング２の裏面２ａの一部に接着剤などの固定手段で固定され且つベルトスリング２に作用する引っ張り荷重に伴ってスリット５が閉じられたときにその閉じ方向に沿ってベルトスリング２から圧力を受ける圧力受け部５７、５８と、互いの頂点がベース４３側に向けられ且つ互いに斜向かいとなるように圧力受け部５７、５８に突設された楔状部５９、６０と、長溝５２、５３に対して対向するように圧力受け部５７、５８に突設され、長溝５２、５３に挿入される四角い板状の挿入部６１、６２とを備えている。
【００４６】
長溝５２、５３の内部において、ベース４３と挿入部６１との間には付勢部材４８、４９が、ベース４３と挿入部６２との間には付勢部材５０、５１が配置されている。付勢部材４８〜５１は、金属製の薄板を略Ｖ形状に折り曲げて形成された板ばねからなる。付勢部材４８、４９の一端は挿入部６１の先端に、他端は長溝５２の奥壁に固定されている。付勢部材５０、５１の一端は挿入部６２の先端に、他端は長溝５３の奥壁に固定されている。そして、挿入部６１の先端部はベース４３との間に付勢部材４８、４９を介在させた状態で長溝５２に、挿入部６２の先端部はベース４３との間に付勢部材５０、５１を介在させた状態で長溝５３に挿入されている。したがって、ベルトスリング２に作用する引っ張り荷重に伴ってスリット５が閉じられたときの閉じ方向の圧力が圧力受け部５７、５８に作用すると、スライド部材４４、４５は付勢部材４８〜５１の弾性的な付勢力に抗してベース４３に向かって徐々にスライドして行き、やがて楔状部５９、６０がベース４３の表面に突出している突出部材４６、４７の上部の基端に接触する。そして、スライド部材４４、４５がベース４３に向かって更にスライドして行くと、楔状部５９、６０の傾斜面５９ａ、６０ａが突出部材４６、４７の上部の基端を押圧する。傾斜面５９ａ、６０ａが突出部材４６、４７の上部の基端を押圧すると突出部材４６、４７が引っ張りコイルばね５６の弾性的な付勢力に抗してベース４３の内部から外部（図９中の破線矢印Ｂ方向）に向けて突出する。
【００４７】
付勢部材４８〜５１の弾性力は、ベルトスリング２に作用する引っ張り荷重に伴ってスリット５が閉じられたときの閉じ方向の圧力の大きさが予め定められた大きさに達したときに楔状部５９、６０が予め定められた位置にまで移動し、ベース４３の表面に突出している突出部材４６、４７の上部の基端に接触するように設定されている。つまり、ここで述べる「予め定められた大きさ」とはベルトスリング２にその耐荷重で作用する引っ張り荷重に伴ってスリット５が閉じられたときのその閉じ方向の圧力の大きさのことを示し、「予め定められた位置」とは、傾斜面５９ａ、６０ａがベース４３の表面に突出している突出部材４６、４７の基端に接触する位置のことを示す。
【００４８】
以上のように構成された荷重超過警報装置付きベルトスリング４０を利用して吊り上げ作業を行うと、スリット５は弾性変形体４２の弾性的な付勢力に抗して徐々に閉じられて行く。この閉じ方向の圧力によって弾性変形体４２が弾性変形して行くとこの弾性変形に同期して楔状部５９、６０がスリット５の閉じ方向に移動して行く。やがて閉じ方向の圧力が予め定められた大きさを超えると楔状部５９、６０の閉じ方向の移動に伴って傾斜面５９ａ、６０ａが突出部材４６、４７をベース４３の外へ押し出す。したがって、スリット５の閉じ方向の圧力が予め定められた大きさを超えたか否かを簡素な構造で検出することができる。また、作業者は弾性変形体４２から突出した突出部材４６、４７を視認することによって閉じ方向の圧力が予め定められた大きさを超えたこと即ちベルトスリング２に耐荷重を超える引っ張り荷重が加わっていることを容易に感知することができる。
【００４９】
次に図１２に本発明の荷重超過警報装置付きベルトスリングの第４の実施形態を示す。なお、本実施形態において第１〜第３の実施形態と同一の部材については同一の符号を付し、その説明を省略する。
【００５０】
本実施形態の荷重超過警報装置付きベルトスリング７０は、引っ張り荷重がかかる方向に沿ってスリット５が形成されたベルトスリング２と、スリット５に差し込まれ、ベルトスリング２に作用する引っ張り荷重に伴ってスリット５が閉じられたときの閉じ方向の圧力が予め定められた大きさを超えたときに警報を発する荷重超過警報装置７１とを備えたものである。この荷重超過警報装置７１は、液体７２が封入された容器７３と、液体７２が浸透して発色する発色体７５とを備え、ベルトスリング２に作用する引っ張り荷重に伴ってスリット５が閉じられたときの閉じ方向の圧力が予め定められた大きさを超えたときに容器７３の少なくとも一部が破損して、その破損した箇所から漏れ出た液体７２が発色体７５に浸透するようになっている。
【００５１】
図１２に示すように荷重超過警報装置７１は、酸性の液体７２が封入されている例えばビニール袋からなる容器７３と、両端に開口７４ａ、７４ｂを有し且つ容器７３を収容する円筒状の収容体７４と、開口７４ａ、７４ｂを塞ぎ、液体７２が浸透したときには発色するリトマス紙からなる発色体７５とから構成されている。なお、本実施形態では容器７３に酸性の液体７２を封入する例を挙げて説明するが、容器７３にはアルカリ性の液体を封入しても良い。この場合、発色体７５としてアルカリ性の液体に反応するリトマス紙を使用すれば良い。この他にも容器７３に封入する液体を着色水としても良い。この場合には、浸透性に富んだ紙であって且つ着色水が浸透したときにその色を目立たせることができるような紙を発色体７５として使用すれば良い。例えば着色水が黒の場合には発色体７５として用いる紙の色を白にすることが好ましい。
【００５２】
容器７３の一部は収容体７４の内周面７４ｃに接着剤で接着されている。また、収容体７４に収容された容器７３の表面において、開口７４ａ、７４ｂに対向している箇所には半円状の切り欠き７３ａが形成されている。したがって、その部分の肉厚だけは他の部分の肉厚に比べて薄くなっているため、容器７３は圧縮されると切り欠き７３ａの部分から破裂することになる。
【００５３】
荷重超過警報装置７１は、収容体７４の外周面７４ｄがベルトスリング２の裏面２ａに対向し且つ開口７４ａ、７４ｂがスリット５から露呈するようにスリット５に差し込まれて使用される。収容体７４の外周面７４ｄの一部とベルトスリング２の裏面２ａとは接着剤などの固定手段によって固定されている。つまり、ベルトスリング２と荷重超過警報装置７１とは一体化された状態になっている。
【００５４】
収容体７４は、ベルトスリング２に作用している引っ張り荷重に伴ってスリット５が閉じられたときの閉じ方向の圧力が予め定められた大きさを超えたか否かを検出する検出部として機能するものである。つまり、収容体７４は、ベルトスリング２に作用している引っ張り荷重に伴ってスリット５が閉じられたときの閉じ方向の圧力が収容体７４の外周面７４ｄに対して予め定められた大きさ以下で作用しているとき、即ちベルトスリング２の耐荷重以下の引っ張り荷重がベルトスリング２に作用し、この引っ張り荷重に伴ってスリット５が閉じられたときの閉じ方向（図１２中の破線矢印Ａ方向）の圧力が収容体７４の外周面７４ｄに対して作用しているときには液体７２が容器７３に封入されている状態を保持する一方で、ベルトスリング２の耐荷重を超える引っ張り荷重がベルトスリング２に作用し、この荷重に伴ってスリット５が閉じられたときの閉じ方向の圧力が作用したときには圧潰され、これによって容器７３を圧縮して切り欠き７３ａの部分から破裂させる。容器７３が切り欠き７３ａの部分から破裂すると、そこから液体７２が噴き出し、発色体に浸透する。
【００５５】
以上のように構成された荷重超過警報装置付きベルトスリング７０を利用して吊り上げ作業を行うと、収容体７４はスリット５の閉じ方向の圧力によって圧縮される。やがて圧力が予め定められた大きさを超えると圧潰される。これに伴って容器７３も圧縮され、切り欠き７３ａの部分から破裂する。そして、その破裂した箇所から噴き出た液体７２が発色体７５に浸透すると発色体７５が色付く。作業者は発色体７５が色付いたことを視認することによってスリット５の閉じ方向の圧力が予め定められた大きさを超えたこと即ちベルトスリング２に耐荷重を超える引っ張り荷重が加わっていることを容易に感知することができる。
【００５６】
なお、上述の形態は本発明の好適な形態の一例ではあるがこれに限定されるものではなく本発明の要旨を逸脱しない範囲において種々変形実施可能である。例えば上述した第１の実施形態では、青色ＬＥＤ２１の発光とスピーカー２２からの警報音との双方によってベルトスリング２に掛かっている引っ張り荷重がベルトスリング２の耐荷重を超えたことを作業者に知らせるようにしたが、青色ＬＥＤ２１とスピーカー２２の少なくともいずれか一方を作動させれば良い。また、第１の実施形態では警報用の発光として青色ＬＥＤ２１の発光を利用しているが、発光色は動作状態確認手段１７のＬＥＤの発光色と差別化することができれば適宜に変更可能である。
【００５７】
また、第１の実施形態では、付勢部材８、９を板ばねを用いたが、板ばねの代わりに圧縮コイルばねを用いても良い。この場合、圧縮コイルばねの弾性変形に伴って移動する移動部材を設け、この移動部材で第１及び第２プッシュ式スイッチ１１、１２をオンすれば良い。
【００５８】
また、第２の実施形態では、コルク栓３４ｂ、３５ｂを開口３３ａ、３３ｂに圧入するようにしたが、凹凸の嵌合を利用して開口３３ａ、３３ｂを蓋体３４、３５で塞ぐようにしても良い。この場合、円筒３３が圧潰されたときに中空体３２内の圧縮空気によって凹凸の嵌合状態を解除して蓋体３４、３５を開口３３ａ、３３ｂから外すようにすれば良い。
【００５９】
また、第２の実施形態では、中空体３２を両端に開口３３ａ、３３ｂを有する円筒３３と開口３３ａ、３３ｂを塞ぐ蓋体３４、３５とから構成したが、図１３に示すように、中空体３２の本体部である円筒３３の代わりに両端が貫通されている四角柱体７６を、蓋体３４、３５の代わりに四角柱体７６の両端の開口を塞ぐ蓋体７７、７８を用いて中空体３２を構成しても良い。また、円筒３３の代わりに両端が貫通されている楕円体７９を、蓋体３４、３５の代わりに楕円体７９の両端の開口を塞ぐ蓋体８０、８１を用いて中空体３２を構成しても良い。このように中空体３２は、ベルトスリング２の耐荷重を超える引っ張り荷重がベルトスリング２に作用し、この引っ張り荷重に伴ってスリット５が閉じられたときの閉じ方向の圧力が作用したときに圧潰される中空体３２の本体部と、中空体３２内の圧縮空気によって本体部の開口から外れる蓋体とから構成されていればその形態は適宜に変更可能である。
【００６０】
また、第２の実施形態では、中空体３２を両端に開口３３ａ、３３ｂを有する円筒３３と開口３３ａ、３３ｂを塞ぐ蓋体３４、３５とから構成するとともに、蓋体３４と蓋体３５との間を連結部材３６で連結するようにしたが、図１５に示すように中空体３２を有底の円筒８２とこの円筒８２の開口８２ａを塞ぐ蓋体８３とから構成しても良い。この場合、蓋体８３にコイル栓８４を一体的に取り付け、このコイル栓８４を開口８２ａに圧入することによって中空体３２内を密封状態にする。また、コイル栓８４と円筒８２の内周面８２ｂとを連結部材３６で連結する。このように構成された中空体３２はスリット５に差し込まれ、円筒８２の外周面８２ｃをベルトスリング２の裏面２ａに接着剤などの固定手段で固定して使用される。したがって、円筒８２は、ベルトスリング２の耐荷重を超える引っ張り荷重がベルトスリング２に作用し、この引っ張り荷重に伴ってスリット５が閉じられたときの閉じ方向の圧力が作用したときに圧潰される。そして、この圧潰に伴ってコルク栓８４が中空体３２内で圧縮された空気によって開口８２ａから発砲される。このとき発砲音が発せられる。作業者は発砲音を聞くとともに蓋体８３が開口８２ａから外れたことを視認することによって引っ張り荷重が耐荷重を超えたことを認識することができる。また、蓋体８３が開口８２ａから外れると、蓋体８３が連結部材３６によって開口８２ａから吊り下げられた状態になるので、作業者は開口８２ａから蓋体８３が外れたことを見落とすことがなくなる。さらに蓋体８３が開口８２ａから外れても連結部材３６によって開口８２ａから外れた蓋体８３は円筒８２から一定の範囲内までしか離れないので、蓋体８３が散乱することを防止することができる。
【００６１】
また、第３の実施形態では、楔状部５９、６０を利用して突出部材４６、４７をベース４３の外へ押し出すようにしたが、楔状部５９、６０のうちのいずれか一方で突出部材４６、４７をベース４３の外へ押し出すようにしても良い。この場合、楔状部５９、６０のいずれか一方における互いに背く２つの傾斜面で突出部材４６、４７の基端を押圧して突出部部材４６、４７をベース４３の外へ押し出すようにすれば良い。
【００６２】
また、第４の実施形態では、容器７３を収容体７４内に収容してからスリット５に差し込むようにしたが、容器７３を収容体７４に収容せずに、容器７３をそのままスリット５に差し込むようにしても良い。この場合、容器７３は、ベルトスリング２の耐荷重を超える引っ張り荷重がベルトスリング２に作用し、この引っ張り荷重に伴ってスリット５が閉じられたときの閉じ方向の圧力が作用したときに切り欠き７３ａから破裂するように構成されていれば良い。そして、切り欠き７３ａをスリットから露呈させ、そのスリットから露呈させた切り欠き７３ａを発色体７５で被覆すれば良い。
【００６３】
また、第１〜第４の実施形態では、荷重超過警報装置６、３１、４１、７１をスリット５に差し込み、各荷重超過警報装置をベルトスリング２の裏面２ａに接着剤などの固定手段で固定する例を挙げて説明したが、スリット５に差し込んだ荷重超過警報装置６、３１、４１、７１のそれぞれをベルトスリング２の裏面２ａに例えばマジックテープ（登録商標）などを用いて着脱自在に取り付けるようにしても良い。
【００６４】
また、第１〜第４の実施形態では、ベルトスリング２を幅方向に貫通するようにスリット５を形成し、そのスリット５に荷重超過警報装置６、３１、４１、７１を差し込み固定するようにしたが、ベルトスリング２を厚さ方向に貫通するようにスリット５を形成し、そのスリット５に荷重超過警報装置６、３１、４１、７１を差し込み固定するようにしても良い。
【図面の簡単な説明】
【００６５】
【図１】本発明の第１の実施形態の荷重超過警報装置付きベルトスリングを示す分解斜視図である。
【図２】荷重超過警報装置付きベルトスリングにおける要部の構成を示す正面図である。
【図３】荷重超過警報装置本体の外観を示す斜視図である。
【図４】荷重超過警報装置本体の電気的構成を示すブロック図である。
【図５】警報手段を作動させるときの処理の流れを示すフローチャートである。
【図６】第２の実施形態の荷重超過警報装置付きベルトスリングにおける中空体の外観を示す斜視図である。
【図７】中空体の構成を示す縦断面図である。
【図８】蓋体が開口から外れたときの態様を示す荷重超過警報装置付きベルトスリングの側面図である。
【図９】第３の実施形態の荷重超過警報装置付きベルトスリングにおける弾性変形体の構成を示す平面図である。
【図１０】ベースの一部と突出部材の外観を示す斜視図である。
【図１１】突出部材が引っ張りコイルばねによって長溝内に引っ張り込まれている態様を示す弾性変形体の一部の縦断面図である。
【図１２】第４の実施形態の荷重超過警報装置付きベルトスリングおけるスリット部分の横断面図と荷重超過警報装置の縦断面図である。
【図１３】第２の実施形態における中空体の別の形態を示す斜視図である。
【図１４】第２の実施形態における中空体の別の形態を示す斜視図である。
【図１５】第２の実施形態における中空体の別の形態を示す縦断面図である。
【符号の説明】
【００６６】
１、３０、４０、７０  荷重超過警報装置付きベルトスリング
２  ベルトスリング
５  スリット
６、３１、４１、７１  荷重超過警報装置
８、９  付勢部材
１８  警報手段
３２  中空体
３３ａ、３３ｂ、８２ａ  開口
３４、３５、７７、７８、８０、８１、８３  蓋体
３６  連結部材
４２  弾性変形体
４６、４７  突出部材
５９、６０  楔状部
７２  液体
７３  容器
７５  発色体
【図１】
2007302445.tif 000003
【図２】
2007302445.tif 000004
【図３】
2007302445.tif 000005
【図４】
2007302445.tif 000006
【図５】
2007302445.tif 000007
【図６】
2007302445.tif 000008
【図７】
2007302445.tif 000009
【図８】
2007302445.tif 000010
【図９】
2007302445.tif 000011
【図１０】
2007302445.tif 000012
【図１１】
2007302445.tif 000013
【図１２】
2007302445.tif 000014
【図１３】
2007302445.tif 000015
【図１４】
2007302445.tif 000016
【図１５】
2007302445.tif 000017